(57)【要約】【課題】多種多様な携行品に対して取付穴の有無にかかわらず警告音発生器を良好かつ強固に取り付けることを可能とする。【解決手段】  携行品側接続体３に対してシート状介装体からなる装着用介装体７を連結することにより、その装着用介装体７を介してパス券（定期券）入れまたは財布に対して警告音発生器としての電子ブザー１が取付穴の有無にかからわず取付使用が可能となるとともに、携行品側接続体３に対して異形状介装体からなる装着用介装体８を連結することにより、その装着用介装体８を介してポシェットなどの各種バッグ類に対して警告音発生器としての電子ブザー１が取付穴の有無にかからわず取付使用が可能となるように構成したもの。【選択図】図１
0003108589.tif 000002
【実用新案登録請求の範囲】
【請求項１】
本体枠から作動ピンを引き抜くことによって警告音を発生する警告音発生器と、
その警告音発生器の本体枠または作動ピンのいずれか一方側から紐状に延出して所望の携行品の一部に連結される携行品側接続体と、
前記警告音発生器の本体枠または作動ピンのいずれか他方側から紐状に延出して使用者の身体側に連結される身体固定用接続体と、
前記携行品の各々に対応して選択されて当該対応する携行品に装着され、前記携行品側接続体に連結される複数種類の装着用介装体と、
を備えていることを特徴とする携行品防犯器。
【請求項２】
前記複数種類の装着用介装体は、
パス券入れまたは財布の内部に介装されることにより係止される略矩形の外形形状をなすシート状介装体と、
バッグ類に設けられたファスナー部の開口部内に介装されることによって前記ファスナー部の合流端部分に係止される矩形状以外の外形形状をなす異形状介装体と、
を備えていることを特徴とする請求項１記載の携行品防犯器。
【請求項３】
前記異形状介装体は、円形状または楕円形状の外形形状をなすように形成されていることを特徴とする請求項２記載の携行品防犯器。
【請求項４】
前記身体固定用接続体と携行品側接続体とが、前記警告音発生器を迂回するように配置された離間防止用接続体を介して連結されていることを特徴とする請求項１記載の携行品防犯器。
【考案の詳細な説明】
【技術分野】
【０００１】
本考案は、作動ピンを引き抜くことによって警告音を発生する警告音発生器を備えた携行品防犯器に関するものである。
【背景技術】
【０００２】
最近、防犯意識の向上から、電子ブザーなどの警告音発生器を備えた携行品防犯器が種々提案されている（例えば下記の特許文献を参照）。通常用いられている携行品防犯器は、本体枠から作動ピンを引き抜くことによって警告音を発生する警告音発生器を備えているとともに、その本体枠または作動ピンのいずれか一方側に対して、紐、ワイヤー、ストラップ等からなる携行品側接続体の一端部分が連結されている。その携行品側接続体の延出端部分は、パス券入れや財布、あるいはポシェットなどのバッグ類等の各種携行品に設けられた取付穴に通されることにより連結されるようになっている。
【０００３】
また、上述した電子ブザーなどの警告音発生器の本体枠または作動ピンのいずれか他方側に対しては、同じく紐、ワイヤー、ストラップ等からなる身体固定用接続体が連結されており、その身体固定用接続体の延出部分が例えばループ状に形成されている。そして、そのループ状部分に使用者の腕等を通すことなどによって持ち運んだ際に、携行品が他人により引っ張られると、その引っ張り力によって作動ピンが警告音発生器の本体枠から抜け出し、それによって警告音が発生されるように構成されている。
【０００４】
ところが、このような従来の携行品防犯器においては、当該携行品防犯器を取り付ける相手となる携行品の種類が限定されているという問題がある。すなわち、警告音発生器から延出する紐状の携行品側接続体は、パス券入れや財布、あるいはポシェットなどのバッグ類等からなる携行品に設けられた取付穴に通す構成になされている。したがって、携行品に取付穴が設けられていないものに対しては、取付穴の加工を行うなどを行わなければ直ちに取り付けることができないという問題がある。
【０００５】
さらに、ポシェットなどのバッグ類等からなる携行品に取り付けたい場合には、ファスナーのスライダー部に設けられた取付穴に対して連結することとなるため、同様に取付穴が無いものに対しては取り付けることができないことに加えて、スライダー部の取付穴に連結した場合であっても、連結力が弱くなってしまうために、ある程度以上の力で引っ張られたときに切断や破断を生じてしてしまうという問題がある。
【０００６】
【特許文献１】特開２００２−９５５１９号公報
【特許文献２】登録実用３０７３１９７号公報
【考案の開示】
【考案が解決しようとする課題】
【０００７】
そこで本考案は、多種多様な携行品に対して容易かつ強固に取り付けることができるとともに、取付穴が無い携行品に対しても良好に取り付けることができるようにした携行品防犯器を提供することを目的とする。
【課題を解決するための手段】
【０００８】
上記目的を達成するため、本考案の請求項１にかかる携行品防犯器では、本体枠から作動ピンを引き抜くことによって警告音を発生する警告音発生器と、その警告音発生器の本体枠または作動ピンのいずれか一方側から紐状に延出して所望の携行品の一部に連結される携行品側接続体と、前記警告音発生器の本体枠または作動ピンのいずれか他方側から紐状に延出して使用者の身体側に連結される身体固定用接続体と、前記携行品の各々に対応して選択されて当該対応する携行品に装着され、前記携行品側接続体に連結される複数種類の装着用介装体とを備えた構成になされている。
【０００９】
このような構成を有する本考案の請求項１にかかる携行品防犯器によれば、各種携行品に対応して装着用介装体を適宜に選択して用いて携行品側接続体に連結することにより、多種多様な携行品に対して取付穴の有無にかからわず警告音発生器を取付使用することが可能となる。
【００１０】
また、本考案の請求項２にかかる携行品防犯器では、上記請求項１における複数種類の装着用介装体が、パス券入れまたは財布の内部に介装されることにより係止される略矩形の外形形状をなすシート状介装体と、バッグ類に設けられたファスナー部の開口部内に介装されることによって前記ファスナー部の合流端部分に係止される矩形状以外の外形形状をなす異形状介装体とを備えている。
【００１１】
このような構成を有する本考案の請求項２にかかる携行品防犯器によれば、パス券入れまたは財布に対してはシート状介装体を内部に介装させることによって取付穴の有無にかからわず取付使用が可能となるとともに、ポシェット等のバッグ類に対しては、異形状介装体をファスナー部の開口部内に介装させることによって取付穴の有無にかからわず取付使用が可能となる。
【００１２】
さらに、本考案の請求項３にかかる携行品防犯器では、上記請求項２における異形状介装体が円形状または楕円形状の外形形状をなすように形成されている。
【００１３】
このような構成を有する本考案の請求項３にかかる携行品防犯器によれば、円形状または楕円形状の外形形状をなす異形状介装体が容易に形成されるとともに、特にバッグ類に対する挿入操作が容易に行われ、かつ挿入後には良好な保持作用が得られるようになっている。
【００１４】
さらにまた、本考案の請求項４にかかる携行品防犯器では、上記請求項１における身体固定用接続体と携行品側接続体とが、前記警告音発生器を迂回するように配置された離間防止用接続体を介して連結されている。
【００１５】
このような構成を有する本考案の請求項４にかかる携行品防犯器によれば、身体固定用接続体と携行品側接続体とが相当に強い力で引き離されようとした場合でも、作動ピンが抜けたときに身体固定用接続体と携行品側接続体とが離間防止用接続体によって良好に連結関係が保持されるようになっている。
【考案の効果】
【００１６】
以上のように本考案にかかる携行品防犯器は、本体枠から作動ピンを引き抜くことによって警告音を発生する警告音発生器から延出する携行品側接続体の延出端部分に複数種類の装着用介装体を選択的に用いることによって種々の携行品に対して警告音発生器の取付使用を可能としたものであるから、多種多様な携行品に対して、しかも取付穴の有無にかかわらず容易かつ強固に警告音発生器を取り付けることができ、警告音発生器を有する携行品防犯器の使用性を大幅に向上させることができる。
【考案を実施するための最良の形態】
【００１７】
以下、本考案の一実施形態を図面に基づいて詳細に説明する。
まず、図１に示されている実施形態において、警告音発生器として周知の電子ブザー１は、略直方体状をなすように形成された本体枠１ａを備えており、その本体枠１ａの長手方向一端側に作動ピン１ｂが引き抜き可能に装着されているとともに、上記本体枠１ａにおける作動ピン１ｂの反対側の端部に、略半月状の板状部材からなる固定ブラケット１ｃが突出するように設けられている。そして、上述した作動ピン１ｂが引き抜かれることによって非常状態を知らせる警告音が当該電子ブザー１から発生される構成になされている。
【００１８】
ここで、上記電子ブザー１の固定ブラケット１ｃには、紐、ワイヤー、ストラップ等からなる帯紐状の携行品側接続体３の一端部分が連結されているとともに、同じく紐、ワイヤー、ストラップ等からなる帯紐状の離間防止用接続体２の一端部分が連結されている。この離間防止用接続体２は、ループ状に成形した帯紐状体を約５ｃｍ〜１５ｃｍ程度の長さにわたって延在するように重ね合わせたものであって、上述した電子ブザー１の固定ブラケット１ｃから本体枠１ａの背面側に沿うようにして延在している。
【００１９】
この離間防止用接続体２の延出側の先端部分には止め輪２ａにより先端ループ部２ｂが形成されていて、そのループ部２ｂにおける止め輪２ａの近傍に、上述した電子ブザー１の作動ピン１ｂの先端部分に取り付けられた連結リング１ｄが上記ループ部２ｂのループ内を通過するようにして装着されている。
【００２０】
また、この離間防止用接続体２における先端ループ部２ｂの延出側部位には、当該ループ部２ｂの内部を通過するようにして連結リング２ｃが装着されていて、その連結リング２ｃに対して、約３０ｃｍ〜５０ｃｍの紐、ワイヤー、ストラップ等からなる丸紐状の身体固定用接続体４の一端部分が連結されている。この身体固定用接続体４は、ループ形状を細長状に重合させた形状をなすように形成されており、その一端部分に止め輪４ａにより形成された先端ループ部４ｂ内に装着された連結リング４ｃが、上述した離間防止用接続体２の連結リング２ｃ内に通されるようにして互いに連結状態になされている。
【００２１】
その身体固定用接続体４の延出部分における途中位置には、セットコマ４ｄが移動可能に装着されており、そのセットコマ４ｄを適宜の位置に移動させることによって身体固定用接続体４のループ形状を構成する紐状体どうしが絡まることなく良好に延在させることができるようになっている。
【００２２】
さらに、上記身体固定用接続体４の延在端部分には、止め輪４ｅによって先端ループ部４ｆが形成されており、その先端ループ部４ｆに対して連結フック５ａ，５ｂが取り付けられている。これらの各連結フック５ａ，５ｂは、使用者の身体側に固定された各種の被連結部材（図示省略）に固着されるものであるが、そのうちの一方の連結フック５ａは、使用者の胸ポケットなどに装着されるクリップ状部材から形成されたものである。また、他方の連結フック５ｂは、自転車の買物カゴなどに対して取り付けられるフックピンなどにより構成されている。
【００２３】
一方、上述した電子ブザー１の固定ブラケット１ｃに連結された携行品側接続体３は、紐、ワイヤー、ストラップ等からなる帯紐状部材から形成されており、ループ状に成形した帯紐状体を約５ｃｍ〜１０ｃｍ程度の長さにわたって延在するように重ね合わせたものであって、止め輪３ａおよび接着剤３ｂを用いて前述した離間防止用接続体２側と一体になるように連結されている。さらに、この携行品側接続体３が延在している延在側端部分には止め輪３ｃより形成された先端ループ部３ｄが形成されており、そこに接続切替用部材としての切替連結フック６が連結リング６ａを介して取り付けられている。この切替連結フック６に対しては、図２および図３に示されているような装着用介装体７，８のいずれかが択一的に選択されて連結される構成になされている。
【００２４】
上述した装着用介装体７，８のうち、図２に示されている装着用介装体７は、略矩形の外形形状に形成されたシート状介装体からなるものであって、図示を省略したパス券（定期券）入れ、または財布の内部に介装されて係止される構成になされている。このシート状介装体からなる装着用介装体７における少なくとも一つの角部には取付穴７ａが形成されており、その取付穴７ａには、連結ワイヤ７ｂの一端部分が連結されているとともに、その連結ワイヤ７ｂの延出側の先端部分には連結ピン７ｃを介して連結ピンフック７ｄが取り付けられており、その連結ピンフック７ｄに対して、前述した携行品側接続体３側の切替連結フック６の把持部が接続されるようになっている。
【００２５】
また、上述した装着用介装体７，８のうち、図３に示されている装着用介装体８は、ポシェットなどの各種バッグ類に設けられたファスナー部の開口部内に介装されるように矩形以外の外形形状、より具体的には平面略円形状に形成された異形状介装体からなるものであって、前記ファスナー部の開口部から内部に挿入した後にファスナー部を再度閉めたときに、当該ファスナー部の合流端部分に当該装着用介装体８が係止される構成になされている。
【００２６】
本実施形態における装着用介装体８は、直径約３ｃｍ〜８ｃｍの円盤状部材から形成されており、渦巻き状に形成されたワイヤ枠体８ａの表面を、布や皮や合成樹脂等からなるカバー８ｂで覆ったものが採用されている。上述したワイヤ枠体８ａには支持ワイヤ８ｃが略十字状をなすように掛け渡されており、当該ワイヤ枠体８ａの中心部分には連結用リング８ｄが取り付けられている。この連結用リング８ｄは、前記カバー８ｂから外部に突出しており、前述した携行品側接続体３側の切替連結フック６に接続されるようになっている。
【００２７】
上述した装着用介装体８のワイヤ枠体８ａは、中心部の連結用リング８ｄが引っ張られたときに適度の弾性をもって適宜に撓みながら引っ張り力を受ける緩衝機能を備えていることから、急激な破断応力の発生を未然に防止して破損を防止する上で好ましい。この装着用介装体８としては、楕円形状、三角形状、矩形状、ハート形状、菱形形状等のような種々の形状とすることも可能である。
【００２８】
また、上述したようなワイヤ枠体を使用することなく、例えば図４に示されているような平板状部材８ｅを布カバー部材８ｆで覆ったものや、棒状部材などからなる装着用介装体を適宜のゴム材料やセラミック材などを用いて枠体として形成することもできる。
【００２９】
このような構成を有する本実施形態にかかる携行品防犯器によれば、まずパス券（定期券）入れまたは財布に対して警告音発生器としての電子ブザー１を接続して使用したい場合には、携行品側接続体３側の切替連結フック６に対してシート状介装体からなる装着用介装体７を連結し、その装着用介装体７をパス券（定期券）入れまたは財布の内部に挿入すれば、取付穴の有無にかかわらず、警告音発生器としての電子ブザー１が接続されることとなる。なお、取付穴が既に開けられている場合には、上述した装着用介装体７を用いることなく、取付穴を利用して連結することができることは当然である。
【００３０】
一方、携行品側接続体３側の切替連結フック６に対して異形状介装体からなる装着用介装体８を連結すれば、その装着用介装体８をポシェットなどの各種バッグ類の内部に装着しておくことによって、取付穴の有無にかからずポシェットなどの各種バッグ類に対して警告音発生器としての電子ブザー１が接続される。なお、取付穴が元々開けてある場合には、上述した装着用介装体８を用いることなく、取付穴を利用して連結することができることは当然である。
【００３１】
このように本実施形態にかかる携行品防犯器によれば、各種の携行品に対応して装着用介装体７，８を適宜に選択して用いて携行品側接続体３に連結することにより、多種多様な携行品に対して取付穴の有無にかからわず電子ブザー１を取付使用することが可能となる。
【００３２】
また本実施形態では、装着用介装体８を構成している異形状介装体が円形または楕円形の外形形状をなすように形成されていることから、異形状介装体からなる装着用介装体８が容易に形成される。特にハート形状などのように先端側が鋭角状に突出する形状になされている場合には、バッグ類に対する挿入操作が大きな抵抗を受けることなく容易に行われるとともに、後端側の張り出し形状による係止作用によってバッグ類に対する保持作用が良好に行われるようになっている。
【００３３】
さらに本実施形態では、身体固定用接続体４と携行品側接続体３とを連結する離間防止用接続体２が、電子ブザー１の本体枠１ａを迂回するように配置されていることから、身体固定用接続体４と携行品側接続体３とが相当に強い力で引き離されようとした場合でも、作動ピン１ｂが抜けたときに身体固定用接続体４と携行品側接続体３とが離間防止用接続体２によって良好に保持されるようになっている。
【００３４】
一方、図５に示されている実施形態にかかる携行品防犯器においては、警告音発生器としての電子ブザー１０が、比較的大径に形成された扁平状の球体からなる枠体１０ａを備えている。この枠体１０ａの底面部には着脱自在の貼着テープ１０ｂが、例えば貼り付けなどによって着脱可能となるように構成されていて、その貼着テープ１０ｂを用いた場合には、例えば図示を省略したカバンの表面に貼り付けられた相手側の貼着テープに装着することが可能となっている。
【００３５】
以上、本考案者によってなされた考案の実施形態を具体的に説明したが、本考案は上述した実施形態に限定されるものではなく、その要旨を逸脱しない範囲で種々変形可能であるというのはいうまでもない。
【００３６】
例えば、上述した実施形態では、作動ピン１ｂ側に身体固定用接続体４が連結されているとともに、固定ブラケット１ｃ側に携行品側接続体３が連結されているが、それらの連結関係を逆に設定することも可能である。
【産業上の利用可能性】
【００３７】
以上述べたように本考案は、多種多様な携行品に対して広く取り付けて使用することが可能なものである。
【図面の簡単な説明】
【００３８】
【図１】本考案の一実施形態における携行品防犯器の構造を表した外観斜視説明図である。
【図２】図１に表した携行品防犯器に用いられるシート状介装体からなる装着用介装体を表した平面説明図である。
【図３】図１に表した携行品防犯器に用いられる異形状介装体からなる装着用介装体を表した平面説明図である。
【図４】異形状介装体からなる装着用介装体の他の実施形態を表した平面説明図である。
【図５】本考案の他の実施形態における携行品防犯器の構造を表した外観斜視説明図である。
【符号の説明】
【００３９】
１  電子ブザー（警告音発生器）
１ａ  本体枠
１ｂ  作動ピン
１ｃ  固定ブラケット
１ｄ  連結リング
２  離間防止用接続体
２ａ  止め輪
２ｂ  先端ループ部
２ｃ  連結リング
３ａ  止め輪
３ｂ  接着剤
３ｃ  止め輪
３ｄ  先端ループ部
４  身体固定用接続体
４ａ  止め輪
４ｂ  先端ループ部
４ｃ  連結リング
４ｄ  セットコマ
４ｅ  止め輪
４ｆ  先端ループ部
５ａ，５ｂ  連結フック
３  携行品側接続体
６  切替連結フック
６ａ  連結リング
７  装着用介装体（シート状介装体）
７ａ  取付穴
７ｂ  連結ワイヤ
７ｃ  連結フック
７ｄ  連結ピンフック
８  装着用介装体（異形状介装体）
８ａ  ワイヤ枠体
８ｂ  カバー
８ｃ  支持ワイヤ
８ｄ  連結用リング
８ｅ  平板状部材
８ｆ  布カバー部材
１０  電子ブザー（警告音発生器）
１０ａ  枠体
１０ｂ  貼着テープ
【図１】
0003108589.tif 000003
【図２】
0003108589.tif 000004
【図３】
0003108589.tif 000005
【図４】
0003108589.tif 000006
【図５】
0003108589.tif 000007